(57)【要約】【課題】  取り付け幅の調整が容易であり、固定ビスの頭を隠すことができて見栄えが良く、水を容易に排出できるデッキ材およびそれを用いたデッキを提供する。【解決手段】  デッキ材１０は、幅方向の両側縁に相互に嵌挿される形状の第１および第２嵌挿部１１，１２を有する。第１嵌挿部１１は、第１および第２突出部１１ａ、１１ｂを有し、その間に溝部１１ｃを有する。第２嵌挿部１２は、溝部１１ｃに嵌入する舌状部１２ｄを先端に有する裏面突出部１２ｃを有し、裏面突出部１２ｃ上に水受け溝１２ｅを有し、水受け溝１２ｅ内には、水抜き孔１３およびネジ固定位置表示１４が設けられている。水抜き孔１３およびネジ固定位置表示１４上に螺着したネジ１５は、外部から視認不能である。【選択図】        図４
2006257820.tif 000002
【特許請求の範囲】
【請求項１】
幅方向の両側縁に相互に嵌挿される形状の第１および第２嵌挿部を有する長尺のデッキ材において、  
上記第１嵌挿部においては、上記デッキ材の一側縁の表面側と裏面側とを、その前者を後者よりも長くして突出させることにより、第１および第２突出部を形成するとともに、それらの突出部の間に溝部を形成し、
上記第２嵌挿部は、上記デッキ材の他側縁の表面側と裏面側とに上記第１嵌挿部における第１および第２突出部に対向する第１および第２対向壁を形成するとともに、上記第２対向壁を形成する裏面突出部の先端に上記溝部に嵌入される舌状部を突設することにより、上記裏面突出部上における第１対向壁と舌状部との間に水受け溝を形成し、
上記第１嵌挿部における溝部と上記第２嵌挿部における舌状部とは、隣接するデッキ材の第１および第２嵌挿部を相互に嵌挿して設置する際に、それらの嵌入深さを調節可能なものとし、
上記裏面突出部上の水受け溝内に、水抜き孔、およびデッキ材を固定するためのネジ固定位置表示を設け、
上記水抜き孔、およびネジ固定位置表示は、上記舌状部の少なくとも先端が上記溝部に嵌入されている状態で、上記第１突出部とそれと対向する第１対向壁の間に形成される溝を通して上記水抜き孔および上記ネジ固定位置表示上に螺着したネジが視認不能な位置に設けられている、
ことを特徴とするデッキ材。
【請求項２】
複数のデッキ材を並設してなるデッキにおいて、
幅方向の両側縁に相互に嵌挿される形状の第１および第２嵌挿部を有する長尺の複数のデッキ材が、上記デッキ材の一側縁の表面側と裏面側とを、その前者を後者よりも長くして突出させることにより、第１および第２突出部を形成するとともに、それらの突出部の間に溝部を形成した上記第１嵌挿部と、上記デッキ材の他側縁の表面側と裏面側とに上記第１嵌挿部における第１および第２突出部に対向する第１および第２対向壁を形成するとともに、上記第２対向壁を形成する裏面突出部の先端に上記溝部に嵌入される舌状部を突設することにより上記裏面突出部上における第１対向壁と上記舌状部との間に水受け溝を形成した第２嵌挿部とを、上記の溝部と舌状部とを嵌入して連結し、これらを根太材にビスで固定することにより一体化して形成され、
水を排水する水抜き孔が上記水受け溝内に設けられ、
上記ビスによるデッキ材の固定が上記水受け溝内で行われ、
上記ビスと上記水抜き孔とが、隣接するデッキ材との間隙から視認不能な位置に設けられている、
ことを特徴とするデッキ。
【請求項３】
上記デッキの設置基点となる側端部の上記デッキ材における上記第１嵌挿部には、第１突出部と上記根太材との間に、該デッキ材を固定するために上記溝部に係止される係止部を有する端部固定部材を設けて、該端部固定部材を上記根太材にネジ止めするとともに、上記係止部に該デッキ材の溝部を係止させることにより該デッキ材を該根太材に固定し、
この固定された該デッキ材に対して上記複数のデッキ材を、上記舌状部と上記溝部との嵌入される範囲で相互に間隔を調整して連結した、
ことを特徴とする請求項２に記載のデッキ。
【請求項４】
上記水受け溝の上記第１対向壁側の端部が、この第１対向壁の下部に食い込むことにより上記第１対向壁の下部に第１鉤受部が形成され、  
上記デッキの側端部における上記第２嵌挿部には、上記第１鉤受部に係止する鉤部を先端に有する第１鉤付壁と、該第１鉤付壁からデッキ材と面一に上記舌状部の端縁上まで延びる天板部と、該天板部から上記舌状部方向に延び、上記舌状部の下部の第２鉤受部に係止する鉤部を先端に有する第２鉤付壁とを設けたカバー材が、上記第１、第２鉤付壁を上記第１、第２鉤受部とにそれぞれ係止することにより取りつけられている、
ことを特徴とする請求項２または３に記載のデッキ。
【発明の詳細な説明】
【技術分野】
【０００１】
本発明は、住宅のバルコニーの床、学校の渡り廊下等に設けられるデッキおよびそれを構成するデッキ材に関し、詳しくは、見栄えが良好で、かつ、水はけが良いデッキおよびそれを構成するデッキ材に関する。
【背景技術】
【０００２】
従来から、住宅のバルコニーの床、学校の渡り廊下等に設けられるデッキは、耐水性が良好な合成樹脂からなる長尺のデッキ材が用いられ、これを幅方向に複数枚連結して上記床、または廊下等の幅に合わせて形成されている。
【０００３】
このようなデッキは、複数のデッキ材を相互に組付けるとともに、それぞれのデッキ材を根太木ないしは桟木に固定して形成している。その固定は、根太木ないしは桟木に接しているデッキ材の部位でネジ止めされている。このネジの頭部が視認されるのを防止する場合には、ネジ止め部に目かくし用のカバーが設けられる（特許文献１）。
また、これらのデッキ材を並設する際に、種々の幅を有するバルコニーに汎用的に設置可能なように、デッキ材相互を嵌合する部位において嵌合幅を調整可能にしたデッキも知られている。
【０００４】
上記ネジ止め部をカバーで覆うデッキにおいては、溝の数に対応するカバーが必要なため、コストが上がるとともに、それを取り付けるための工数がかかると云う問題がある。
また、屋外で使用するデッキにおいては、汎用性を持たせるために嵌合幅の調整が容易であるとともに、デッキ材が相互に連結されていて、荷重が全体に分散されて歩き心地がよく、かつ、水はけが容易であるデッキが望まれていた。  
【０００５】
【特許文献１】特開２００３−２０７１９号公報
【発明の開示】
【発明が解決しようとする課題】
【０００６】
本発明の第１の技術課題は、上記問題を解決し、デッキ材の取付けにおいて、取り付け幅の調整が容易であり、固定ビスの頭を隠すことができて見栄えが良く、かつ、容易に取付けることができるデッキ材を提供することにあり、本発明の第２の技術課題は、デッキ材が相互に連結されていて、歩行時に荷重が全体に分散されて歩き心地がよく、その上、デッキ材の連結部を水抜き溝に利用できるとともに、集めた水を容易に排出できるデッキを提供することにある。
【課題を解決するための手段】
【０００７】
上記課題を解決するための本発明のデッキ材は、幅方向の両側縁に相互に嵌挿される形状の第１および第２嵌挿部を有する長尺のデッキ材において、上記第１嵌挿部においては、上記デッキ材の一側縁の表面側と裏面側とを、その前者を後者よりも長くして突出させることにより、第１および第２突出部を形成するとともに、それらの突出部の間に溝部を形成し、上記第２嵌挿部は、上記デッキ材の他側縁の表面側と裏面側とに上記第１嵌挿部における第１および第２突出部に対向する第１および第２対向壁を形成するとともに、上記第２対向壁を形成する裏面突出部の先端に上記溝部に嵌入される舌状部を突設することにより、上記裏面突出部上における第１対向壁と舌状部との間に水受け溝を形成し、上記第１嵌挿部における溝部と上記第２嵌挿部における舌状部とは、隣接するデッキ材の第１および第２嵌挿部を相互に嵌挿して設置する際に、それらの嵌入深さを調節可能なものとし、上記裏面突出部上の水受け溝内に、水抜き孔、およびデッキ材を固定するためのネジ固定位置表示を設け、上記水抜き孔、およびネジ固定位置表示は、上記舌状部の少なくとも先端が上記溝部に嵌入されている状態で、上記第１突出部とそれと対向する第１対向壁の間に形成される溝を通して上記水抜き孔および上記ネジ固定位置表示上に螺着したネジが視認不能な位置に設けられていることを特徴とする。
【０００８】
上記課題を解決するための本発明のデッキは、複数のデッキ材を並設してなるデッキにおいて、幅方向の両側縁に相互に嵌挿される形状の第１および第２嵌挿部を有する長尺の複数のデッキ材が、上記デッキ材の一側縁の表面側と裏面側とを、その前者を後者よりも長くして突出させることにより、第１および第２突出部を形成するとともに、それらの突出部の間に溝部を形成した上記第１嵌挿部と、上記デッキ材の他側縁の表面側と裏面側とに上記第１嵌挿部における第１および第２突出部に対向する第１および第２対向壁を形成するとともに、上記第２対向壁を形成する裏面突出部の先端に上記溝部に嵌入される舌状部を突設することにより上記裏面突出部上における第１対向壁と上記舌状部との間に水受け溝を形成した第２嵌挿部とを、上記の溝部と舌状部とを嵌入して連結し、これらを根太材にビスで固定することにより一体化して形成され、水を排水する水抜き孔が上記水受け溝内に設けられ、上記ビスによるデッキ材の固定が上記水受け溝内で行われ、上記ビスと上記水抜き孔とが、隣接するデッキ材との間隙から視認不能な位置に設けられていることを特徴とする。
【０００９】
本発明のデッキの好ましい実施の形態においては、上記デッキの設置基点となる側端部の上記デッキ材における上記第１嵌挿部には、第１突出部と上記根太材との間に、該デッキ材を固定するために上記溝部に係止される係止部を有する端部固定部材を設けて、該端部固定部材を上記根太材にネジ止めするとともに、上記係止部に該デッキ材の溝部を係止させることにより該デッキ材を該根太材に固定し、この固定された該デッキ材に対して上記複数のデッキ材を、上記舌状部と上記溝部との嵌入される範囲で相互に間隔を調整して連結される。
【００１０】
本発明のデッキの他の好ましい実施の形態においては、上記水受け溝の上記第１対向壁側の端部が、この第１対向壁の下部に食い込むことにより上記第１対向壁の下部に第１鉤受部が形成され、上記デッキの側端部における上記第２嵌挿部には、上記第１鉤受部に係止する鉤部を先端に有する第１鉤付壁と、該第１鉤付壁からデッキ材と面一に上記舌状部の端縁上まで延びる天板部と、該天板部から上記舌状部方向に延び、上記舌状部の下部の第２鉤受部に係止する鉤部を先端に有する第２鉤付壁とを設けたカバー材が、上記第１、第２鉤付壁を上記第１、第２鉤受部とにそれぞれ係止することにより取りつけられる。
【発明の効果】
【００１１】
以上に詳述した本発明のデッキ材は、取付けにおいて、取り付け幅の調整が容易であり、見栄えが良いとともに、水はけが良いものとなっており、このデッキ材を用いたデッキは、これらの効果に加えて、歩き心地が良い上に、集めた水の排出が容易である。
【発明を実施するための最良の形態】
【００１２】
以下に、図面に示す実施例に基づいて本発明を詳細に説明する。
図１は、本発明の一実施例のデッキ材の端面を示し、図２はこのデッキ材で形成したデッキの主要部であるデッキ本体１Ａを示している。
本実施例のデッキ材１０は、本体材１０ａと表面材１０ｂとからなり、その幅方向の両側縁に相互に嵌挿される形状の第１および第２嵌挿部１１，１２を有して長尺をなしている。
上記デッキ１は、図２に示すように、デッキ材１０の複数枚を、タッピングビス１５で根太材１６に固定することにより一体化したデッキ本体１Ａに設置脚１Ｂ（図４参照）を取り付けて形成されている。
【００１３】
上記デッキ材１０は、本体材１０ａがポリスチレン樹脂または必要に応じてハイインパクト‐ポリスチレン樹脂を加えて発泡させた発泡体からなり、表面材１０ｂが耐候性に優れた表面基材のアクリロニトリル‐アクリレートゴム‐スチレン共重合体樹脂および／またはアクリロニトリル‐エチレン・プロピレンゴム‐スチレン共重合体樹脂に、接着性を改良するための上記本体材１０ａの組成物成分と木質感を出すための木粉とを副成分として混合した組成の成形体からなる。さらに、その強度向上と、長尺方向の伸縮等の変形防止とのために複数のアルミ平板１０ｃ,１０ｃが本体材１０ａの芯部に埋設され、これらが共押出しされて形成される。
【００１４】
上記第１嵌挿部１１は、デッキ材１０の一側縁の表面側と裏面側とを、その前者を後者よりも長くして突出させることにより、第１および第２突出部１１ａ,１１ｂを形成するとともに、それらの突出部１１ａ，１１ｂの間に溝部１１ｃを形成して構成されている。
【００１５】
上記第２嵌挿部１２は、デッキ材１０の他側縁の表面側と裏面側とに、第１嵌挿部１１における第１および第２突出部１１ａ,１１ｂに対向する第１および第２対向壁１２ａ,１２ｂを形成するとともに、第２対向壁１２ｂを形成する裏面突出部１２ｃの先端に、上記溝部１１ｃに嵌入される舌状部１２ｄを突設している。そして、この舌状部１２ｄを突設することにより、裏面突出部１２ｃ上における第１対向壁１２ａと舌状部１２ｄとの間に水受け溝１２ｅを形成した構成となっている。
また、水受け溝１２ｅの第１対向壁１２ａ側の端部を、この第１対向壁１２ａの下部に食い込ませることにより第１対向壁１２ａの下部に第１鉤受部１２ｆが形成され、後述するカバー２２が取り付けられるようになっている。
【００１６】
さらに、上記水受け溝１２ｅ内には、その幅方向の中心より舌状部１２ｄ寄りに上記タッピングビス１５を螺着する際の位置決めとなる浅溝からなるネジ固定位置表示１４が形成されており、また、このネジ固定位置表示１４に中心を有する水はけ用の水抜き孔１３が適宜間隔で形成されている。この水抜き孔１３は、その中心をネジ固定位置表示１４に一致させる必要はない。
なお、デッキ材１０の表面材１０ｂは、第１嵌挿部１１における第１突出部１１ａの裏面の溝部１１ｃの開口端からデッキ材１０の表面を覆って、第２嵌挿部１２の舌状部１２ｄの裏面に至る範囲の本体材１０ａに積層されているが、本体材１０ａの全面を覆うように設けても良い。
【００１７】
図３（Ａ）および（Ｂ）は、バルコニー等の幅に合わせてデッキ１を形成する際に、デッキ材間の間隔を調整した状態におけるデッキ材１０,１０相互間の連結状態を示すものであり、（Ａ）は、舌状部１２ｄと溝部１１ｃとの嵌入関係が深く、デッキ材１０,１０相互がほとんど密接して連結されている状態を示し、（Ｂ）は、その嵌入関係が浅く、デッキ材１０,１０相互がほぼ最大の間隙を介して連結されている状態を示している。複数のデッキ材の連結状態は、上記（Ａ）（Ｂ）の範囲内で調整することができる。
図４は、デッキ１の幅方向の全体を示すものであるが、デッキ材１０をタッピングビス１５で根太材１６に固定している部位を一部破断した断面として描いてある。
図５は、図４のＡ−Ａ拡大断面を示している。
【００１８】
上記根太材１６は、図５に示すように、アルミニュウムまたはアルミニュウム合金からなる断面が矩形状の角筒体であり、そのデッキ材取り付け面１６ａの中央には、凹部１６ｂが設けられており、デッキ材１０をタッピングビス１５で根太材１６に螺着する際に、螺着に伴ない生ずる切り屑を受けるに必要かつ十分な深さになっている。
【００１９】
デッキ１の一側端部（図４上の左端）には、根太材１６の端縁面と面一になるように端部固定部材２１が設けられている。
図６は、その端部固定部材２１の一部を破断して示している。
端部固定部材２１は、図４および図６に示すように、上記第１嵌挿部１１における第１突出部１１ａの裏面に接する当接部２１ａと、該当接部２１ａの一端を屈曲させた第１立壁部２１ｂと、該立壁部２１ｂの下端を屈曲させた接地部２１ｃと、該接地部２１ｃの一端から第２突出部１１ｂの側面に接するように屈曲した第２立壁部２１ｄと、該第２立壁部２１ｄの一端から屈曲して第１嵌挿部１１の溝１１ｃ内に進入し、第２突出部１１ｂの表面に接する係止部２１ｅとからなり、長尺状をなしている。
なお、この端部固定部材２１は、根太材１６に接触する部分だけに設ける短尺状のものであっても良い。
【００２０】
上記第２嵌挿部１２が露出しているデッキ１の他側端部（図上の右端）には、第２嵌挿部１２を覆うためのカバー材２２が設けられている。
図７は、カバー材２２の一部を破断して示すもので、該カバー材２２は、図４および図７に示すように、第２嵌挿部１２の目隠し用に設けられ、上記水受け溝１２ｅの一方の側縁側の第１鉤受部１２ｆに係止する鉤部２２ｂを先端に有し第１対向壁１２ａに接する第１鉤付壁２２ａと、該第１鉤付壁２２ａの上端で屈曲し、デッキ材１０と面一に舌状部１２ｄの側端縁１２ｇ上まで延びる天板部２２ｃと、この天板部２２ｃの端部で屈曲し、舌状部方向に延び、舌状部１２ｄの下部の第２鉤受部１２ｈに係止する鉤部２２ｅを有する第２鉤付壁２２ｄと、天板部２２ｃの裏面から、水受け溝１２ｅの側縁１２ｉに向って垂下し該側縁１２ｉに接する隔壁部２２fとからなり、長尺状をなしている。
【００２１】
このデッキ１をその製作手順に従いながら説明する。
まず、バルコニーの面積に適合する必要量のデッキ材１０と、必要数の根太材１６を用意し、平行に配置した複数の根太材１６の一端（図４の左端）のデッキ材取り付け面１６ａ上に、端部固定部材２１をその立壁部２１ｂが根太材１６の端縁面と面一になるように取り付ける。次に、端部固定部材２１の係止部２１ｅ（図６参照）に、デッキ材１０の第１嵌挿部１１における第２突出部１１ｂを指し込んで、デッキ材を取り付け面１６ａ上に載置し、水受け溝１２ｅ内のネジ固定位置表示１４の部分において、デッキ材１０をタッピングビス１５で根太材１６に螺着する。
【００２２】
このようにして、根太材１６の一端に固定された１枚のデッキ材１０に順次残りのデッキ材１０を取り付けていくが、その場合、上記一端に固定されたデッキ材１０を設置基点としてそれぞれの第２嵌挿部１２の舌状部１２ｄに第１嵌挿部１１の溝部１１ｃを、各デッキ材間の溝間隔を調整して嵌入し、第２嵌挿部１２の水受け溝１２ｅ内において根太材１６に順次螺着する。そして、これにより、図４に示すように、終端のデッキ材１０の側端縁１２ｇ（図１参照）が、根太材１６の端縁面１６ｂと略面一になるようにする。
【００２３】
このようにして、全てのデッキ材１０が根太材１６に固定された状態では、図２に示すように、終端のデッキ材１０の第２嵌挿部１２が露出されており、見栄えが悪いとともに、危険でもあるので、このデッキ材１０には、目かくし用の上記カバー材２２が装着される。
カバー材２２は、図４および図７に示すように、第１鉤付壁２２ａの鉤部２２ｂを、第１鉤受部１２ｆに係止し、第２鉤付壁２２ｄの鉤部２２ｅを、第２鉤受部１２ｈに係止して第２嵌挿部１２に取り付けられる。
【００２４】
上記デッキ１は、バルコニーの寸法に合わせて、容易に取り付け幅を調整でき、かつ、固定ビスの頭を隠すことができて見栄えが良い。
このデッキ１を設置したバルコニーでは、バルコニーに降った雨水が、デッキ材１０，１０相互間の溝間隙に流れ込み、水受け溝１２ｅに集められ、水受け溝１２ｅに適宜形成されている水抜き孔１３から排水されるので、水はけに優れいて、水受け溝１２ｅに滞留することはない。
また、このデッキ１は、デッキ材１０相互が舌状部１２ｄと溝部１１ｃとの嵌入により連結されているとともに、水受け溝１２ｅ内で根太材１６にネジ止めされているので、デッキ材１０の幅方向の片側だけの固定でも、反対側の側端の浮き上がりはない。さらに、デッキ１上を人が歩いた場合、上記嵌入による連結により、荷重が分散するとともに、適度なフレキシブル性が付与されるので、局所的な撓みの発生がないとともに、歩き心地が良い。
【００２５】
本発明は上述の実施例に限らず、特許請求の範囲を逸脱しない範囲において、種々の構成を取ることができる。
例えば、上記デッキ材は、本実施例の合成樹脂に限らず種々の合成樹脂を利用することができる。
根太材は、アルミニュウムまたはアルミニュウム合金に限らず、機械強度の高い合成樹脂を用いることもできるし、その他の材料でも良い。
【図面の簡単な説明】
【００２６】
【図１】本発明に係るデッキ材の実施例を示す端面図である。
【図２】同デッキ材で形成したデッキ本体を示す斜視図である。
【図３】同デッキ材相互間の接合状態を示す端面図であり、（Ａ）は、デッキ材相互がほとんど密接して接合されている状態を示し、（Ｂ）は、デッキ材相互がほぼ最大の間隙を介して接合されている状態を示す。
【図４】本発明に係るデッキの幅方向の一部を破断して示す断面図である。
【図５】図４のＡ−Ａ断面におけるデッキの部分断面図である。
【図６】上記デッキにおいて用いる端部固定部材の部分斜視図である。
【図７】上記デッキにおいて用いるカバー材の部分斜視図である。
【符号の説明】
【００２７】
１            デッキ
１０          デッキ材
１１          第１嵌挿部
１１ａ        第１突出部
１１ｂ        第２突出部
１１ｃ        溝部
１２          第２嵌挿部
１２ａ        第１対向壁
１２ｂ        第２対向壁
１２ｃ        裏面突出部
１２ｄ        舌状部  
１２ｅ        水受け溝
１２ｆ        第１鉤受部
１２ｇ        側端縁
１２ｈ        第２鉤受部
１３          水抜き孔
１４          固定位置表示
１５          ネジ
２１          端部固定部材
２１ｅ        係止部
２２          カバー
２２ａ        第１鉤付壁
２２ｂ、２２ｅ  鉤部
２２ｃ        天板部
２２ｄ        第２鉤付壁
【図１】
2006257820.tif 000003
【図２】
2006257820.tif 000004
【図３】
2006257820.tif 000005
【図４】
2006257820.tif 000006
【図５】
2006257820.tif 000007
【図６】
2006257820.tif 000008
【図７】
2006257820.tif 000009